(57)【特許請求の範囲】
【請求項１】
建物の開口部に取り付けられた既設枠の内周面を覆うように前記既設枠の加工を行わずに取り付けられる新設枠を備える改装サッシであって、
前記新設枠のうち新設下枠は、前記既設枠のうち既設下枠の屋外側の端部に接続される第１接続部と、前記既設下枠の屋内側の端部に接続される第２接続部と、のみにより前記既設下枠に取り付けられ、
前記第１接続部は、前記新設下枠の屋外側の端部と互いに上下方向に間隔を空けて配置される前記既設下枠の屋外側の端部との前記間隔に、上下方向に延びるように取り付けられる取り付け部材を介して前記既設下枠の屋外側の端部に接続され、前記第２接続部は、前記既設下枠の屋内側の端部に直接的に接続される改装サッシ。
【発明の詳細な説明】
【技術分野】
【０００１】
本発明は、改装サッシに関する。
【背景技術】
【０００２】
従来、マンション等の建物の開口部に取り付けられた既設枠を改装する方法として、カバー工法が広く採用されている。このカバー工法によって改装された改装サッシでは、建物の開口部に取り付けられた既設枠に対して、その内周面を覆うように新設枠が取り付けられる（例えば、特許文献１参照）。
【０００３】
既設枠の形状は、施工するサッシにより様々である。そこで、カバー工法で既設枠に新設枠を取り付ける場合、新設枠の取り付けを容易にするために、既設枠と新設枠との間に補助部材を設けることが知られている。
【０００４】
特許文献１の技術では、既設枠に補助部材を取り付け、この補助部材と新設枠とを、補助部材とは別の取り付け金具により連結することで、補助部材を介して既設枠及び新設枠を連結している。
【先行技術文献】
【特許文献】
【０００５】
【特許文献１】特開２００７−１３８５６０号公報
【発明の概要】
【発明が解決しようとする課題】
【０００６】
しかしながら、特許文献１の改装サッシのように、補助部材を介して既設枠及び新設枠を連結する場合、既設枠の様々な形状に対応できるように、補助部材を多様なバリエーションで用意しておき、工事を行う既設枠に応じて選択する必要がある。このため、予め用意する部材を製造する費用がかかったり、既設枠に応じて施工方法を変更するため施工時間がかかるという問題があった。
【０００７】
本発明は上記に鑑みてなされたものであり、その目的は、施工に必要な部材の数を低減することで、容易に施工できる改装サッシを提供することにある。
【課題を解決するための手段】
【０００８】
上記目的を達成するため本発明は、建物の開口部に取り付けられた既設枠（例えば、後述の既設枠１１０、２１０、３１０）の内周面（例えば、後述の内側部１１０Ｃ、階段状部２１０Ｃ、内側部３１０Ｃ）を覆うように取り付けられる新設枠（例えば、後述の新設枠１２０、２２０、３２０）を備える改装サッシ（例えば、後述の改装サッシ１）であって、前記新設枠は、前記既設枠の屋内側及び屋外側のうち一方側の端部に接続される第１接続部（例えば、後述の第１接続部５１、５２、５３）と、前記既設枠の他方側の端部に接続される第２接続部（例えば、後述の第２接続部６１、６２、６３）と、のみにより前記既設枠に取り付けられ、前記第１接続部は、取り付け部材（例えば、後述の上枠第１取付部材１５０、下枠第１取付部材２５０、縦枠第１取付部材３５０）を介して前記既設枠の一方側の端部に接続される改装サッシを提供する。
【０００９】
前記取り付け部材は、前記既設枠の屋内側の端部と、前記新設枠の屋内側の端部との間を密閉する気密部材（例えば、後述の気密部材１５２、３５２）を備えることが好ましい。
【００１０】
嵌め殺し窓に取り付けられることが好ましい。
【発明の効果】
【００１１】
本発明によれば、施工に必要な部材の数を低減することで、容易に施工できる改装サッシを提供できる。
【図面の簡単な説明】
【００１２】
【図１】本発明の一実施形態に係る改装サッシを室内側から見た正面図である。
【図２】上記実施形態に係る改装サッシの縦断面図である。
【図３】上記実施形態に係る改装サッシの横断面図である。
【図４】本発明の他の実施形態に係る改装サッシの下枠部分の部分拡大縦断面図である。
【図５】本発明のさらに他の実施形態に係る改装サッシの下枠部分の部分拡大縦断面図である。
【発明を実施するための形態】
【００１３】
以下、本発明の一実施形態について、図面を参照しながら詳しく説明する。
本発明の一実施形態に係る改装サッシは、マンションの壁の開口部に納められた嵌め殺し窓（ＦＩＸ窓）タイプの改装サッシである。本実施形態に係る改装サッシは、カバー工法によって形成される。
なお本明細書において、「見付方向」とは、マンションの壁の開口部に納められた嵌め殺し窓における面方向（即ち、左右方向）を意味し、「見込方向」とは、屋内外方向（即ち、奥行き方向）を意味する。また、左右方向は、屋内側から見た左右方向を意味する。また、共通する構成については、同一の規則性に従った符号を付す。
【００１４】
図１は、本実施形態に係る改装サッシ１を室内側から見た正面図である。
図１に示すように、改装サッシ１は、いずれも長尺状の上枠１００、下枠２００、左縦枠３００及び右縦枠４００により矩形に枠組みされた窓枠１０と、この窓枠１０に嵌め込まれるガラス２０と、を備える。
【００１５】
図２は、本実施形態に係る改装サッシ１の縦断面図である。図２に示すように、ガラス２０は、それぞれ、屋外側の板ガラス２１と、屋内側の板ガラス２２と、これら２枚の板ガラスで挟持されたスペーサ２３と、を備える複層ガラスであり、優れた断熱性を有する。
【００１６】
上枠１００は、既設枠１１０と、新設枠１２０と、第１接続部５１と、第２接続部６１と、額縁部材１６０と、を含んで構成される。
【００１７】
既設枠１１０は、縦断面視で略コの字状の形状を有し、建物の開口部に取り付けられている。既設枠１１０は、屋内側部１１０Ａと、屋外側部１１０Ｂと、内周面としての内側部１１０Ｃと、を含んで構成される。
内側部１１０Ｃは、既設枠１１０の見込方向に延びる面である。
屋内側部１１０Ａは、内側部１１０Ｃの屋内側の端部から上方へ向かって延びる面である。屋内側部１１０Ａは、既設の木製額縁１１２にねじによりねじ止めされた連結金具１１１に当接している。
屋外側部１１０Ｂは、内側部１１０Ｃの屋外側の端部から上方へ向かって延びる面である。
【００１８】
新設枠１２０は、既設枠１１０の下部に、既設枠１１０の内側部１１０Ｃを覆うように取り付けられる。
【００１９】
新設枠１２０は、屋内側部１２０Ａと、屋外側部１２０Ｂと、内側部１２０Ｃと、ガラス支持部１２０Ｄと、カバー材１２０Ｅと、を含んで構成される。
内側部１２０Ｃは、新設枠１２０の見込み方向に延びる部分である。
屋内側部１２０Ａは、内側部１２０Ｃの屋内側の端部からやや屋外側にずれた位置から、上方及び下方に延びる面である。
屋外側部１２０Ｂは、内側部１２０Ｃの最も屋外側の端部から上方へ延び、新設枠１２０の外側の面を構成している。
ガラス支持部１２０Ｄは、内側部１２０Ｃの屋外側で下方に延びるように配置され、屋外側と屋内側それぞれ一つずつ配置されている。屋内側と屋内側のガラス支持部１２０Ｄにより挟持されて、ガラス２０の端部が支持されている。
カバー材１２０Ｅは、屋外側部１２０Ｂの上端部に取り付けられて、後述する上枠第２取付部材１７０及び既設枠１１０の屋外側部１１０Ｂを覆っている。
【００２０】
第１接続部５１は、新設枠１２０における屋内側の端部が、既設枠１１０の屋内側の端部に接続される部分である。第１接続部５１は、上枠第１取付部材１５０を含み、この上枠第１取付部材１５０を介して既設枠１１０の屋内側の端部に接続される。
【００２１】
上枠第１取付部材１５０は、既設枠１１０と新設枠１２０とを接続する部材である。上枠第１取付部材１５０は、アタッチメント部１５１と、気密部材１５２と、を有する。
【００２２】
アタッチメント部１５１は既設枠側固定部１５１Ａと、新設枠側固定部１５１Ｂとを有する。アタッチメント部１５１における既設枠側固定部１５１Ａが既設枠１１０に固定され、新設枠側固定部１５１Ｂが新設枠１２０に固定されることで、既設枠１１０及び新設枠１２０は、屋内側で上枠第１取付部材１５０を介して接続される。
【００２３】
既設枠側固定部１５１Ａは、既設枠１１０の屋内側部１１０Ａから内側部１１０Ｃに屈曲する角部に当接するように形成される。既設枠側固定部１５１Ａは、屋内側部１１０Ａに当接する面１５１１と、この屋内側部１１０Ａに当接する面１５１１から直交する方向に屈曲して延び、内側部１１０Ｃに当接する面１５１２とを有する。そして、既設枠側固定部１５１Ａは、屋内側部１１０Ａに当接する面１５１１において、ねじにより既設枠１１０に固定されている。
【００２４】
新設枠側固定部１５１Ｂは、縦断面視で略Ｌ字状に形成されるＬ字部１５１３と、Ｌ字部１５１３の端部に設けられる鉤部１５１４と、により構成されている。
Ｌ字部１５１３の長辺は、既設枠側固定部１５１Ａから下方に連続して延び、短辺は屋内側から屋外側へ延びている。新設枠側固定部１５１Ｂは、短辺及び新設枠１２０の内側部１２０Ｃを、ねじにより接続することで、新設枠１２０に固定されている。
鉤部１５１４は、Ｌ字部１５１３の短辺から上方に起立するように設けられ、鉤部１５１４の上方と下方の端部が屋外側へ屈曲することで鉤状に形成される。
【００２５】
気密部材１５２は、新設枠側固定部１５１Ｂの短辺の鉤部１５１４に係合する弾性部材である。気密部材１５２は、軟質樹脂製の気密パッキンであり、当該中空部が押し潰されることで、高い気密性が得られる。気密部材１５２は、新設枠１２０の屋内側部１２０Ａに当接し、上枠１００の延設方向に延びて通しで設けられている。
【００２６】
第２接続部６１は、新設枠１２０における屋外側の端部が、既設枠１１０の屋外側の端部に接続される部分である。第２接続部６１は、上枠第２取付部材１７０を含み、この上枠第２取付部材１７０により、既設枠１１０の屋内側の端部に直接的に接続される。
【００２７】
上枠第２取付部材１７０は、本実施形態ではねじである。上枠第２取付部材１７０は、既設枠１１０の屋外側部１１０Ｂと、新設枠１２０の屋外側部１２０Ｂをねじの締結により直接固定する。
【００２８】
額縁部材１６０は、第１額縁部材１６１と、第２額縁部材１６２と、第３額縁部材１６３と、を含んで構成される。
第１額縁部材１６１は、上述の連結金具１１１を介して木製額縁１１２にねじ止めされるとともに、下方に延出する。第１額縁部材１６１の下端部には、上方へ向かって屈曲する被係合部１６１ａが形成されている。
第２額縁部材１６２は、第１額縁部材１６１とは別体で、第１額縁部材１６１の被係合部１６１ａに係合する。また、第２額縁部材１６２は、屋外側の面における上下方向の中間部に、下方へ向かって分岐する被係合部１６２ａが形成されている。この被係合部１６２ａには、上枠第１取付部材１５０における新設枠側固定部１５１Ｂの最も屋内側よりの端部が上方に屈曲して係合する。
第３額縁部材１６３は、第２額縁部材１６２の下端部から新設枠１２０の内側部１２０Ｃにおける屋内側を覆うように配置される。
【００２９】
以上のように、新設枠１２０は、第１接続部５１と、第２接続部６１と、のみにより、既設枠１１０に取り付けられている。
【００３０】
下枠２００は、既設枠２１０と、新設枠２２０と、第１接続部５２と、第２接続部６２と、額縁部材２６０と、を含んで構成される。なお、これらは特に断りの無い限り、いずれも見付方向に延びて通しで設けられている。
【００３１】
既設枠２１０は、屋内側から屋外側に向かって階段状に下降するように形成されている。また、既設枠２１０は、屋内側部２１０Ａと、屋外側部２１０Ｂと、内周面としての階段状部２１０Ｃと、を備える。
階段状部２１０Ｃは、既設枠１１０の見込み方向に段差を有して延びる部分であり、窓枠１０の内側に面している。
屋内側部２１０Ａは、階段状部２１０Ｃの屋内側の端部から下方に向かって垂設される面である。屋内側部２１０Ａは、既設の木製額縁２１２にねじ止めされた連結金具２１１に当接している。
屋外側部２１０Ｂは、階段状部２１０Ｃの屋外側の端部から下方に延び、さらに屋内側に屈曲して形成されている。屋外側部２１０Ｂは、既設枠２１０の最も外側の面を含んでいる。
【００３２】
新設枠２２０は、既設枠２１０の上部に、既設枠２１０の階段状部２１０Ｃを覆うように取り付けられる。新設枠２２０は、屋内側から屋外側に向かって階段状に下降するように形成されている。
【００３３】
新設枠２２０は、屋内側部２２０Ａと、屋外側部２２０Ｂと、階段状部２２０Ｃと，ガラス支持部２２０Ｄと、を備える。
階段状部２２０Ｃは、新設枠２２０の見込み方向に段差を有して延びる部分であり、窓枠１０の内側に面している。
屋内側部２２０Ａは、縦断面視でＬ字状に形成され、Ｌ字の長辺は、階段状部２２０Ｃの屋内側の端部から下方へ垂直に延びる。Ｌ字の短辺は、後述する第２接続部６２を構成する。この第２接続部６２は、ねじにより上述の連結金具２１１に固定されるとともに、既設枠２１０の屋内側部２１０Ａに密着固定されている。
屋外側部２２０Ｂは、階段状部２２０Ｃの屋外側に配置され、屋内側部２２０Ａの下端部よりも下方に延びている。
ガラス支持部２２０Ｄは、階段状部２２０Ｃの上面における屋外側で上方に立設される面と、これに対向して配置される部材とにより構成され、屋外側と屋内側それぞれ一つずつ配置されている。屋内側と屋内側のガラス支持部２２０Ｄにより挟持されて、ガラス２０の端部が支持されている。
【００３４】
第１接続部５２は、新設枠２２０における屋外側の端部が、既設枠２１０の屋外側の端部に接続される部分である。第１接続部５２は、下枠第１取付部材２５０を含み、この下枠第１取付部材２５０を介して既設枠２１０の屋外側の端部に接続される。
【００３５】
下枠第１取付部材２５０は、既設枠２１０の屋外側部２１０Ｂと、新設枠２２０の屋外側部２２０Ｂの端部とを接続する板状の部材である。下枠第１取付部材２５０は、既設枠２１０の屋外側部２１０Ｂと、新設枠２２０の屋外側部２２０Ｂの間で上下方向に延びるように取り付けられる。
下枠第１取付部材２５０の上端側は、既設枠２１０の屋外側部２１０Ｂにねじにより固定される。
下枠第１取付部材２５０の下端側は、新設枠２２０の屋外側部２２０Ｂにねじにより固定される。
【００３６】
なお、本実施形態では、既設枠２１０の屋外側部２１０Ｂが、新設枠２２０の屋外側部２２０Ｂよりも屋内側に位置しているため、下枠第１取付部材２５０の既設枠２１０側には、既設枠２１０の屋外側部２１０Ｂへ延びて屋外側部２１０Ｂの面に当接する支持部が設けられている。また、下枠第１取付部材２５０の下端から建物の開口部までを、カバー材２１０Ｅが覆っている。
【００３７】
第２接続部６２は、新設枠２２０における屋内側の端部が、既設枠２１０の屋内側の端部に接続される部分である。第２接続部６２は、既設枠２１０の屋内側の端部に直接的に接続される。
【００３８】
第２接続部６２は、屋内側部２２０ＡのＬ字状の形状の短辺が、ねじで連結金具２１１に固定されると同時に、連結金具２１１に当接している既設枠２１０の屋内側部２１０Ａの上端部に接続されることで、既設枠２１０と新設枠２２０とに接続されている。
【００３９】
額縁部材２６０は、第１額縁部材２６１と、第２額縁部材２６２と、を含んで構成される。
第１額縁部材２６１は、新設枠２２０の屋内側部２２０Ａよりも屋内側で、木製額縁２１２から上方に延びる面である。
第２額縁部材２６２は、第１額縁部材２６１の上端部から屋外側へ延び、屋内側のガラス支持部２２０Ｄへと接続される。額縁部材２６０は、下枠２００における屋内側の端面を覆っている。
【００４０】
以上のように、新設枠２２０は、第１接続部５２と、第２接続部６２と、のみにより、既設枠２１０に取り付けられている。
【００４１】
図３は、本実施形態に係る改装サッシ１の横断面図である。なお、左縦枠３００と右縦枠４００は同一の構成であるため、以下では左縦枠３００についてのみ説明する。既設の木製額縁３１２にねじによりねじ止めされた連結金具３１１に連結されている。
【００４２】
図３に示すように、左縦枠３００は、既設枠３１０と、新設枠３２０と、第１接続部５３と、第２接続部６３と、額縁部材３６０と、を含んで構成される。これら及びこれらを構成する部分はいずれも、上下方向に延びて通しで設けられている。
【００４３】
既設枠３１０は、横断面視で略コの字状の形状を有し、建物の開口部に取り付けられている。既設枠３１０は、屋内側部３１０Ａと、屋外側部３１０Ｂと、内周面としての内側部３１０Ｃと、を含んで構成される。
内側部３１０Ｃは、左縦枠３００の見込方向に延びる面である。
屋内側部３１０Ａは、内側部３１０Ｃの屋内側の端部から、既設枠３１０の見付方向に延びる面である。屋内側部３１０Ａは、既設の木製額縁３１２にねじによりねじ止めされた連結金具３１１に当接している。
屋外側部３１０Ｂは、内側部３１０Ｃの屋外側の端部から、既設枠３１０の見付方向に延びる面である。
【００４４】
新設枠３２０は、既設枠３１０の見付方向内側に、既設枠３１０の内側部３１０Ｃを覆うように取り付けられる。
【００４５】
新設枠３２０は、屋内側部３２０Ａと、屋外側部３２０Ｂと、内側部３２０Ｃと、ガラス支持部３２０Ｄと、カバー材３２０Ｅと、を含んで構成される。
内側部３２０Ｃは、新設枠３２０の見込み方向に延びる部分である。
屋内側部３２０Ａは、内側部３２０Ｃから見付方向内側へ延び、屋内側に配置される。
屋外側部３２０Ｂは、見付方向の外側に延びている。屋外側部３２０Ｂは、既設枠３１０の屋外側部３１０Ｂを覆うように当接し、後述する縦枠第２取付部材３７０により既設枠３１０に取り付けられている。
ガラス支持部３２０Ｄは、内側部３２０Ｃの屋外側で見付方向内側へ延びる面と、これに対向して配置される部材とにより構成され、屋外側と屋内側それぞれ一つずつ配置されている。
カバー材３２０Ｅは、屋外側部３２０Ｂにおける見付方向外側の面に沿って延び、基端部が内側部３２０Ｃの外側の面に取り付けられている。カバー材３２０Ｅは、後述する縦枠第２取付部材３７０及び既設枠３１０の屋外側部３１０Ｂを覆っている。
【００４６】
第１接続部５３は、新設枠３２０における屋内側の端部が、既設枠３１０の屋内側の端部に接続される部分である。第１接続部５３は、縦枠第１取付部材３５０を含み、この縦枠第１取付部材３５０を介して既設枠３１０の屋内側の端部に接続される。
【００４７】
縦枠第１取付部材３５０は、既設枠３１０と新設枠３２０とを接続する部材である。縦枠第１取付部材３５０は、アタッチメント部３５１と、気密部材３５２と、を含んで構成される。
アタッチメント部３５１は既設枠側固定部３５１Ａと、新設枠側固定部３５１Ｂとを有する。
既設枠側固定部３５１Ａは、既設枠３１０の内側部３１０Ｃから屋内側部３１０Ａに屈曲する角部に当接するように形成される。既設枠側固定部３５１Ａは、屋内側部３１０Ａに当接する面３５１１と、この屋内側部３１０Ａに当接する面３５１１から直交する方向に屈曲して延び、内側部３１０Ｃに当接する面３５１２とを有する。そして、既設枠側固定部３５１Ａは、屋内側部３１０Ａに当接する面３５１１において、ねじにより既設枠３１０に固定されている。
新設枠側固定部３５１Ｂは、横断面視で略Ｌ字状に形成されるＬ字部３５１３と、Ｌ字部３５１３の端部に設けられる鉤部３５１４と、により構成されている。Ｌ字部３５１３の一方の辺は、既設枠側固定部３５１Ａから見込方向内側に連続して延び、他方の辺は、一方の辺から屈曲して屋内側から屋外側へ延びている。
鉤部３５１４は、Ｌ字部３５１３の他方の辺の端部が分岐して見込方向外側へ延出するとともに、この他方の辺の端部と分岐した辺の端部が屋外側へ屈曲することで鉤状に形成される。
【００４８】
気密部材３５２は、新設枠側固定部３５１Ｂの鉤部３５１４に係合する弾性部材である。気密部材３５２は、軟質樹脂製の気密パッキンであり、当該中空部が押し潰されることで、高い気密性が得られる。気密部材３５２は、新設枠３２０の屋内側部３２０Ａに当接し、左縦枠３００の延設方向に延びて通しで設けられている。
【００４９】
第２接続部６３は、新設枠３２０における屋外側の端部が、既設枠３１０の屋外側の端部に接続される部分である。第２接続部６３は、縦枠第２取付部材３７０を含み、この縦枠第２取付部材３７０により、既設枠３１０の屋内側の端部に直接的に接続される。
【００５０】
縦枠第２取付部材３７０は、本実施形態ではねじである。縦枠第２取付部材３７０は、既設枠３１０の屋外側部３１０Ｂと、新設枠３２０の屋外側部３２０Ｂの見付方向外側の面とをねじの締結により直接固定する。
【００５１】
額縁部材３６０は、第１額縁部材３６１と、第２額縁部材３６２と、第３額縁部材３６３と、を含んで構成される。
第１額縁部材３６１は、上述の連結金具３１１を介して木製額縁３１２にねじ止めされるとともに、見付方向内側に延出する。第１額縁部材３６１の端部には、見付方向外側へ屈曲する被係合部３６１ａが形成されている。
第２額縁部材３６２は、第１額縁部材３６１とは別体で、見付方向の外側から内側へ向かって延びる面である。第２額縁部材３６２は、見付方向外側の端部から内側へ向かって屈曲し、第１額縁部材３６１の被係合部３６１ａに係合する。
第３額縁部材３６３は、第２額縁部材３６２の見付方向内側の端部から新設枠３２０の屋内側部３２０Ａへ向かって延び、屋内側部３２０Ａに連続する。
額縁部材３６０は、既設枠３１０の屋内側部３１０Ａから新設枠の屋内側部３２０Ａを覆っている。
【００５２】
以上のように、新設枠３２０は、第１接続部５３と、第２接続部６３と、のみにより、既設枠３１０に取り付けられている。
【００５３】
本実施形態によれば以下の効果が奏される。
本実施形態に係る改装サッシ１を、建物の開口部に取り付けられた既設枠１１０、２１０、３１０の内側部１１０Ｃ、３１０Ｃ及び階段状部２１０Ｃを覆うように取り付けられる新設枠１２０、２２０、３２０を含んで構成した。また、新設枠１２０、２２０、３２０を、既設枠１１０、２１０、３１０の屋内側又は屋外側の一方の端部に接続される第１接続部５１、５２、５３と、既設枠１１０、２１０、３１０の他方の端部に接続される第２接続部６１、６２、６３と、のみにより既設枠１１０、２１０、３１０に取り付けた。第１接続部５１、５２、５３を、上枠第１取付部材１５０、下枠第１取付部材２５０、縦枠第１取付部材３５０を介して既設枠１１０、２１０、３１０の一方の端部に接続させた。
【００５４】
本実施形態では、既設枠１１０、２１０、３１０と新設枠１２０、２２０、３２０とを、屋内側と屋外側のそれぞれの端部に接続される第１接続部５１、５２、５３及び第２接続部６１、６２、６３のみにより接続している。このため、既設枠１１０、２１０、３１０を取り付ける補助部材を、上枠１００、下枠２００、左右縦枠３００、４００の形状に合わせた様々な寸法で用意しておく必要がなくなり、取り付ける工程も単純になる。また、補助部材が必要ないため、第１接続部５１、５２を配置する上下方向の位置、及び第１接続部５３を配置する見付方向の配置を自由に変更することができる。
また、屋内側又は屋外側の一方の端部に上枠第１取付部材１５０、下枠第１取付部材２５０、縦枠第１取付部材３５０を取り付ければよいため、既設枠１１０、２１０、３１０のサッシの形状や板厚によって変更したり加工する必要なく、上枠第１取付部材１５０、下枠第１取付部材２５０、縦枠第１取付部材３５０を取り付けることができる。
よって、改装サッシ１が、施工に必要な部材の数を低減することで、容易に施工でき、ひいては部材費の削減や、施工時間、施工費を削減することができる。
【００５５】
また、本実施形態では、上枠第１取付部材１５０、縦枠第１取付部材３５０を、既設枠１１０、２１０、３１０の屋内側の端部と、新設枠１２０、２２０、３２０の屋内側の端部との間を密閉する気密部材１５２、３５２を含んで構成した。
これにより、上枠第１取付部材１５０、縦枠第１取付部材３５０を取り付けることで、同時に既設枠１１０、２１０、３１０の屋内側の端部と、新設枠１２０、２２０、３２０の屋内側の端部との間を密閉する部材を取り付けることができる。よって、改装サッシを容易に施工することができる。
【００５６】
また、本実施形態では、改装サッシ１を嵌め殺し窓に取り付けた。これにより、嵌め殺し窓に改装サッシ１を取り付ける場合の施工が容易になる。
【００５７】
本発明の他の実施形態について、図４を参照しながら説明する。図４は、他の実施形態に係る下枠２００の部分拡大図である。上記の実施形態と、共通する構成については同じ符号を用いて表している。
【００５８】
図４に示すように、他の実施形態では、屋外側における新設枠２２０と既設枠２１０との間の上下方向の距離が、上記の実施形態における場合よりも短くなっている。このため、下枠第１取付部材２５０の上下方向の長さが、上記の実施形態の場合よりも短く形成されている。下枠２００において、既設枠２１０と新設枠２２０との間の距離は、施工する既設枠２１０及び新設枠２２０によって変わることがある。詳細には、既設枠１１０の屋内側部１１０Ａの上端と、屋外側部１１０Ｂの上端との間のＡ寸法によって、必要な下枠第１取付部材２５０の寸法が異なってくる。このため、下枠第１取付部材２５０に関しては、下枠第１取付部材２５０の上下方向の長さ寸法を変更したものを、予め複数用意しておいてもよい。
【００５９】
また、他の実施形態では、既設枠２１０の屋内側部２１０Ａは、上下方向に延びるとともに、上端部で見込方向の手前側へ屈曲している。新設枠２２０の屋内側部２２０Ａは、既設枠２１０と同様に、上下方向に延びるとともに、上端部で見込方向の手前側へ屈曲している。そして、連結金具２１１が設けられていない。
他の実施形態における既設枠２１０の屋内側部２１０Ａの端部と、新設枠２２０の屋内側部２２０Ａの端部とは、第２接続部６２に含まれる下枠第２取付部材２７０を構成するねじにより直接接続されている。
【００６０】
このように、下枠２００においても、第２接続部６２をねじの締結により固定するように構成してもよい。
他の実施形態においても、上記述べた実施形態と同様の効果が奏される。
【００６１】
本発明のさらに他の実施形態について、図５を参照しながら説明する。図５は、さらなる他の実施形態に係る下枠２００の部分拡大図である。上記の実施形態と、共通する構成については同じ符号を用いて表している。
【００６２】
図５に示すように、さらに他の実施形態では、既設枠２１０の階段状部２１０Ｃに立ち上がり部２１０Ｆが形成されている。このように、既設枠２１０によっては、立ち上がり部２１０Ｆを有するものが設置されている場合がある。
立ち上がり部２１０Ｆは、既設枠２１０が上述の実施形態のように階段状に下降せずに、屋内側の端部から屋外側へ向かって、ほぼ同じ高さを有して延出し、ガラス２０等を支持する部分である。
【００６３】
既設枠２１０に立ち上がり部２１０Ｆが形成されていると、新設枠２２０を設置する位置と立ち上がり部２１０Ｆの位置とに重複する部分が生じる場合がある。このため、既設枠２１０が立ち上がり部２１０Ｆを有する場合は、従来の補助部材を用いるカバー工法では、新設枠２２０の設置自体が困難になる場合があった。しかしながら、図５に示すように、本実施形態では既設枠２１０の屋内側の端部と、屋外側の端部とが、第１接続部５２及び第２接続部６２によってのみ接続されるので、既設枠２１０が立ち上がり部２１０Ｆを有していても、カバー工法による新設枠２２０の設置が可能となる。
また、さらなる他の実施形態におけるその他の点においても、上記述べた実施形態と同様の効果が奏される。
【００６４】
なお、本発明は上記実施形態に限定されるものではなく、本発明の目的を達成できる範囲での変形、改良等は本発明に含まれる。
【００６５】
例えば、上記の実施形態では、下枠２００では気密部材が設けられていないが、気密部材を設けてもよい。
【００６６】
また、上記の実施形態では、窓枠１０は嵌め殺し窓に設置されているが、これに限られない。引違い窓等、設置する窓の種類は特に限定されない。
【符号の説明】
【００６７】
１  改装サッシ
５１、５２、５３  第１接続部
６１、６２、６３  第２接続部
１１０、２１０、３１０  既設枠
１１０Ｃ、３１０Ｃ  内側部（内周面）
１２０、２２０、３２０  新設枠
１５０  上枠第１取付部材（取り付け部材）
２１０Ｃ  階段状部（内周面）
２５０  下枠第１取付部材（取り付け部材）
３５０  縦枠第１取付部材（取り付け部材）
１５２、３５２  気密部材
【図１】
0006487674.tif 000002
【図２】
0006487674.tif 000003
【図３】
0006487674.tif 000004
【図４】
0006487674.tif 000005
【図５】
0006487674.tif 000006